(57)【要約】【課題】装置サイズを大きくすることなく、装置アウトラインのラウンドを大きくとることを可能にする携帯端末装置を提供する。【解決手段】周端部側に凸曲面状のラウンド４を備えて形成され、筐体２に両面テープ３で一体に貼り付けられる外装パネル１を備える携帯端末装置において、両面テープ３を貼り付ける筐体２の貼り付け座２ｂを凸曲面状に形成する。また、外装パネル１のラウンド４を貼り付け座２ｂに沿うように形成する。【選択図】図２
2012138721.tif 000002
【特許請求の範囲】
【請求項１】
周端部側に凸曲面状のラウンドを備えて形成され、筐体に両面テープで一体に貼り付けられる外装パネルを備える携帯端末装置において、
前記両面テープを貼り付ける前記筐体の貼り付け座が凸曲面状に形成され、前記外装パネルのラウンドが前記貼り付け座に沿うように形成されていることを特徴とする携帯端末装置。
【発明の詳細な説明】
【技術分野】
【０００１】
本発明は、例えば携帯電話、ＰＨＳ、ＰＤＡ（携帯情報端末）等の携帯端末装置に関する。
【背景技術】
【０００２】
従来、携帯電話、ＰＨＳ、ＰＤＡ（携帯情報端末）等の携帯端末装置は、手軽に携帯して自由に使用できるように小型化、薄型化されている。また、この種の携帯端末装置は、操作部に対し表示部を折り畳んだり、表示部を所定の角度で開いて使用できるように折り畳み式で構成されている（例えば、特許文献１、特許文献２参照）。
【０００３】
また、このような携帯端末装置の操作部や表示部は、例えば図３に示すように、外装パネル１を筐体２に両面テープ３で一体に貼り付けて形成され、両面テープ３によって防水性を確保するようにしている。さらに、外装パネル１の角部を凸円弧状に形成するなどして（ラウンド（面取り部）４を形成して）、持ち易くしたり、ラウンドフォルムの向上などを図るようにしている。
【０００４】
一方、子供や女性などの手の小さいユーザーであっても、使用時に携帯端末装置が持ち易くなるように、小型化、薄型化を保持しつつラウンドを大きくとって手に収まり易くするデザインが求められている。また、携帯端末装置をよりコンパクトに見せるという点からもラウンドを大きくとることが求められている。
【先行技術文献】
【特許文献】
【０００５】
【特許文献１】特開２００６−２０３４６０号公報
【特許文献２】特開２００９−２９０８０６号公報
【発明の概要】
【発明が解決しようとする課題】
【０００６】
しかしながら、上記従来の携帯端末装置においては、図４に示すように、外装パネル１と筐体２を両面テープ３で一体に貼り付けるために、防水に必要な一定の貼り付け幅と平らな面（平面状の貼り付け面１ａ）を必要としており、これにより、外装パネル１にラウンド４をとるための幅ｔ１に制限が生じ、ラウンド４を大きくとることが難しいという問題があった。
【０００７】
また、図５に示すように、外装パネル１にラウンド４を大きくとることを優先した場合には、外装パネル１に突起部１ｂを設け、この突起部１ｂによって両面テープ３を貼り付けるための平面状の貼り付け面１ｃを形成することが必要になり、これにより、装置の厚さｔ２が必要以上に大きくなってしまう。
【０００８】
さらに、図６に示すように、外装パネル１の内側に突起部１ｂを設けて平面の貼り付け座１ｃを形成した場合、突起部１ｂによって内側加飾が不可能になるなど、デザイン上の制限が生じ、商品性に影響を与えてしまう。
【０００９】
本発明は、上記事情に鑑み、装置サイズを大きくすることなく、装置アウトラインのラウンドを大きくとることを可能にする携帯端末装置を提供することを目的とする。
【課題を解決するための手段】
【００１０】
上記の目的を達するために、この発明は以下の手段を提供している。
【００１１】
本発明は、周端部側に凸曲面状のラウンドを備えて形成され、筐体に両面テープで一体に貼り付けられる外装パネルを備える携帯端末装置において、前記両面テープを貼り付ける前記筐体の貼り付け座が凸曲面状に形成され、前記外装パネルのラウンドが前記貼り付け座に沿うように形成されていることを特徴とする。
【発明の効果】
【００１２】
本発明の携帯端末装置によれば、両面テープを貼り付ける筐体の貼り付け座を凸曲面状に形成することによって、装置サイズを大きくすることなく、装置アウトラインのラウンドを大きくとることが可能になる。
【図面の簡単な説明】
【００１３】
【図１】本発明の一実施形態に係る携帯端末装置を示す斜視図である。
【図２】従来の携帯端末装置と本発明の一実施形態に係る携帯端末装置を示す断面図である。
【図３】従来の携帯端末装置を示す斜視図である。
【図４】従来の携帯端末装置を示す断面図である。
【図５】従来の携帯端末装置を示す断面図である。
【図６】従来の携帯端末装置を示す断面図である。
【発明を実施するための形態】
【００１４】
以下、図１及び図２を参照し、本発明の一実施形態に係る携帯端末装置について説明する。ここで、本発明の携帯端末装置は、例えば携帯電話、ＰＨＳ、ＰＤＡ（携帯情報端末）等の携帯端末装置に関するものである。
【００１５】
本実施形態の携帯端末装置Ａは、図１に示すように、操作部５と表示部（不図示）とをヒンジ部６によって折り畳み可能（回動可能）に接続して構成されている。また、操作部５及び表示部は、筐体２に両面テープ３で外装パネル１を一体に貼り付けて構成されている。さらに、携帯端末装置Ａの外周縁側には、凸円弧状のラウンド（面取り部）４を形成し、携帯端末装置Ａを持ち易くしたり、デザインフォルムの向上などを図るようにしている。
【００１６】
一方、本実施形態の携帯端末装置Ａにおいては、図２（ｂ）に示すように、操作部５や表示部の筐体２の周端部２ａ側に両面テープ３を貼り付ける貼り付け座２ｂが形成され、この筐体側の貼り付け座２ｂが、図２（ａ）に示す従来のように平面状ではなく、凸曲面状に形成されている。そして、図２（ｂ）に示すように、外装パネル１の周端部側に設けるラウンド４が筐体２の凸曲面状の貼り付け座２ｂに沿う円弧状に形成されている。
【００１７】
これにより、図２（ａ）、（ｂ）に示すように、例えば、従来の携帯端末装置では外装パネル１のラウンド４がその幅ｔ１を１．５ｍｍ程度、厚さｔ３を１．５ｍｍ程度で形成されるのに対し、本実施形態では、外装パネル１のラウンド４を、その幅ｔ１を５ｍｍ程度、厚さｔ３を１．５ｍｍ程度にして形成することが可能になる。すなわち、本実施形態の携帯端末装置Ａにおいては、外装パネル１の厚さｔ３（携帯端末装置Ａの厚さｔ２）を従来と同等にし、装置サイズを大きくすることなく（薄型を保持しつつ）、装置アウトラインのラウンド４を大きくとることが可能になる。
【００１８】
また、図４及び図５に示した従来のように外装パネル１に平面状の貼り付け面１ａ、１ｃを形成することがなく、装置サイズインパクトが生じない。さらに、外装パネル１の内側に余計な突起部１ｂを形成する必要がないため、外装パネル１の内側加飾を施すことが可能になり、デザインの自由度を上げることが可能になる。
【００１９】
一方、筐体２の貼り付け座２ｂを凸曲面状に形成すると、防水性を確保するための両面テープ３を外装パネル１の貼り付け面（内面）１ａ及び筐体２の貼り付け座２ｂに貼り付ける際に両面テープ３にしわが寄ったり、気泡が入ってしまい、両面テープ３の貼り付け強度不足となって防水性が確保できなくなるおそれがある。すなわち、両面テープ３の貼り付け幅が極端に大きいと、円弧面状の貼り付け座２ｂへの追従性が奪われ、貼り付け時にしわが寄ったり、気泡が入りやすくなる。また、両面テープ３の貼り付け幅を１．８ｍｍよりも小さくしてしまうと貼り付け面積が小さくなり過ぎ、貼り付け強度が不足してしまう。
【００２０】
このため、本実施形態の携帯端末装置Ａにおいては、筐体２の貼り付け座２ｂを凸曲面状に形成してラウンド４を大きくとるようにした場合であっても、両面テープ３の貼り付け幅を１．８〜２．０ｍｍ程度にすることにより、しわが寄ったり、気泡が入ることを防止することが可能になり、防水性を確保しつつラウンド４を大きくとることが可能になる。
【００２１】
したがって、本実施形態の携帯端末装置Ａにおいては、筐体２の貼り付け座２ｂを凸曲面状に形成し、外装パネル１のラウンド４を筐体２の貼り付け座２ｂに沿うように形成することで、装置サイズを大きくすることなく、装置アウトラインのラウンド４を大きくとることが可能になる。これにより、例えば、子供や女性などの手の小さいユーザーであっても、使用時に携帯端末装置Ａを持ち易くすることができ、さらに携帯端末装置Ａをよりコンパクトに見せることが可能になる。
【００２２】
以上、本発明に係る携帯端末装置の一実施形態について説明したが、本発明は上記の実施形態に限定されるものではなく、その趣旨を逸脱しない範囲で適宜変更可能である。
【符号の説明】
【００２３】
１      外装パネル
１ａ    貼り付け面
１ｂ    突起部
１ｃ    貼り付け面
２      筐体
２ａ    周端部
２ｂ    貼り付け座
３      両面テープ
４      ラウンド（面取り部）
５      操作部
Ａ      携帯端末装置
ｔ１    ラウンドの幅
ｔ２    装置の厚さ
ｔ３    ラウンドの厚さ
【図１】
2012138721.tif 000003
【図２】
2012138721.tif 000004
【図３】
2012138721.tif 000005
【図４】
2012138721.tif 000006
【図５】
2012138721.tif 000007
【図６】
2012138721.tif 000008